(57)【特許請求の範囲】
【請求項１】
動画データを生成する印刷装置であって、
画像データを入力する入力手段と、
前記画像データの一覧を示す縮小画像であって該縮小画像上に手書きで任意の枠を描くことが可能な縮小画像とともに、前記動画データの生成に関する設定を記入する設定記入欄を前記縮小画像毎に配置したオーダシートを印刷するオーダシート印刷手段と、
前記オーダシートを読み取る読取手段と、
前記読み取ったオーダシートを解析し、前記画像データを連続的に表示する動画データを前記設定記入欄に記入された設定に基づき生成する動画データ生成手段とを備え、
前記設定記入欄には、前記縮小画像が表す画像データに対して施す画像処理として、画像全体から該画像中の指定された領域に表示範囲が徐々に変更されるエフェクトである第１の画像処理、および、画像中の指定された領域のみを表示するエフェクトである第２の画像処理、の少なくとも一方を指定するための欄が含まれ、
前記動画データ生成手段は、前記オーダシートの解析の結果、前記設定記入欄に前記第１の画像処理または前記第２の画像処理を施す旨の指定があったことを検出した場合には、該指定のあった縮小画像中に描かれた前記枠を検出し、前記画像データ中の該枠が示す領域に対して、前記第１の画像処理または前記第２の画像処理のうち、指定された画像処理を施す、
印刷装置。
【請求項２】
請求項１に記載の印刷装置であって、
前記オーダシート印刷手段は、前記縮小画像を、所定の薄い色で印刷し、
前記動画データ生成手段は、前記縮小画像から前記薄い色以外の色を読み取ることで、前記枠の検出を行う、印刷装置。
【請求項３】
請求項１または請求項２に記載の印刷装置であって、
更に、前記入力した画像データの中から、撮影に失敗した画像データを判別する判別手段を備え、
前記オーダシート印刷手段は、前記判別手段によって撮影に失敗したと判別された画像データ以外の画像データの一覧を前記オーダシートに印刷し、
前記動画データ生成手段は、前記撮影に失敗したと判別された画像データ以外の画像データを用いて前記動画データを生成する
印刷装置。
【請求項４】
請求項１ないし請求項３のいずれか一項に記載の印刷装置であって、
前記オーダシート印刷手段は、前記設定記入欄として、前記動画データのデータ形式を指定する欄を印刷し、
前記動画データ生成手段は、前記設定記入欄によって指定されたデータ形式に従い、前記動画データを生成する
印刷装置。
【請求項５】
請求項１ないし請求項４のいずれか一項に記載の印刷装置であって、
更に、前記動画データ生成手段によって生成した動画データを、外部記憶装置に出力する出力手段を備える
印刷装置。
【請求項６】
請求項５に記載の印刷装置であって、
前記出力手段は、前記動画データに加えて、該動画データの生成元となった画像データを前記外部記憶装置に出力する手段を備える
印刷装置。
【請求項７】
スキャナを備えた印刷装置が動画データを生成する方法であって、
画像データを入力する入力工程と、
前記画像データの一覧を示す縮小画像であって該縮小画像上に手書きで任意の枠を描くことが可能な縮小画像とともに、前記動画データの生成に関する設定を記入する設定記入欄を前記縮小画像毎に配置したオーダシートを印刷するオーダシート印刷工程と、
前記オーダシートを前記スキャナによって読み取る読取工程と、
前記読み取ったオーダシートを解析し、前記画像データを連続的に表示する動画データを前記設定記入欄に記入された設定に基づき生成する動画データ生成工程とを備え、
前記設定記入欄には、前記縮小画像が表す画像データに対して施す画像処理として、画像全体から該画像中の指定された領域に表示範囲が徐々に変更されるエフェクトである第１の画像処理、および、画像中の指定された領域のみを表示するエフェクトである第２の画像処理、の少なくとも一方を指定するための欄が含まれ、
前記動画データ生成工程では、前記オーダシートの解析の結果、前記設定記入欄に前記第１の画像処理または前記第２の画像処理を施す旨の指定があったことを検出した場合には、該指定のあった縮小画像中に描かれた前記枠を検出し、前記画像データ中の該枠が示す領域に対して、前記第１の画像処理または前記第２の画像処理のうち、指定された画像処理を施す、
動画データ生成方法。
【請求項８】
印刷装置とスキャナとが接続されたコンピュータが動画データを生成するためのコンピュータプログラムであって、
画像データを入力する入力機能と、
前記画像データの一覧を示す縮小画像であって該縮小画像上に手書きで任意の枠を描くことが可能な縮小画像とともに、前記動画データの生成に関する設定を記入する設定記入欄を前記縮小画像毎に配置したオーダシートを前記印刷装置によって印刷するオーダシート印刷機能と、
前記オーダシートを前記スキャナによって読み取る読取機能と、
前記読み取ったオーダシートを解析し、前記画像データを連続的に表示する動画データを前記設定記入欄に記入された設定に基づき生成する動画データ生成機能と、
をコンピュータに実現させるためのコンピュータプログラムであり、
前記設定記入欄には、前記縮小画像が表す画像データに対して施す画像処理として、画像全体から該画像中の指定された領域に表示範囲が徐々に変更されるエフェクトである第１の画像処理、および、画像中の指定された領域のみを表示するエフェクトである第２の画像処理、の少なくとも一方を指定するための欄が含まれ、
前記動画データ生成機能では、前記オーダシートの解析の結果、前記設定記入欄に前記第１の画像処理または前記第２の画像処理を施す旨の指定があったことを検出した場合には、該指定のあった縮小画像中に描かれた前記枠を検出し、前記画像データ中の該枠が示す領域に対して、前記第１の画像処理または前記第２の画像処理のうち、指定された画像処理を施す、
コンピュータプログラム。
【請求項９】
請求項８に記載のコンピュータプログラムを記録したコンピュータ読取可能な記録媒体。
【発明の詳細な説明】
【技術分野】
【０００１】
本発明は、印刷装置を用いて動画データを生成する技術に関する。
【背景技術】
【０００２】
近年、スキャナやメモリカードリーダを内蔵した複合機と呼ばれる印刷装置が普及しつつある（例えば、下記特許文献１参照）。このような印刷装置では、メモリカード等から入力した画像データの一覧をオーダシートとして印刷する機能を有するものがある。ユーザは、このオーダシートに設けられたマーキング欄を筆記具で塗りつぶして、スキャナに読み取らせることにより、所望の画像を印刷することができる。
【０００３】
また、印刷装置の中には、メモリカード等から読み取った画像データを、ＵＳＢインタフェース等によって接続された外部記憶装置に記録する機能を有するものもある。このように、近年の印刷装置は、画像データの取り扱いに関する様々な機能を備えつつある。
【０００４】
ところで、近年では、デジタルカメラ等で撮影した静止画に種々のトランジションエフェクトを施したりＢＧＭを付加したりすることで、画像データを連続的に表示する簡易的な動画（以下、「簡易動画」という）を生成することが行われている（例えば、下記特許文献２参照）。
【０００５】
しかし、このような動画の生成はパーソナルコンピュータを用いて行うことが一般的であるため、コンピュータの操作に不慣れな者が、動画の生成や編集を行うことは、非常に困難であった。
【０００６】
【特許文献１】特開２００２−１３７４９９号公報
【特許文献２】特開２００５−３０３９０７号公報
【発明の開示】
【発明が解決しようとする課題】
【０００７】
このような問題を考慮し、本発明が解決しようとする課題は、印刷装置を用いて動画を容易に生成することにある。
【課題を解決するための手段】
【０００８】
上記課題を踏まえ、本発明を次のように構成した。すなわち、
動画データを生成する印刷装置であって、
画像データを入力する入力手段と、
前記画像データの一覧を示す縮小画像であって該縮小画像上に手書きで任意の枠を描くことが可能な縮小画像とともに、前記動画データの生成に関する設定を記入する設定記入欄を前記縮小画像毎に配置したオーダシートを印刷するオーダシート印刷手段と、
前記オーダシートを読み取る読取手段と、
前記読み取ったオーダシートを解析し、前記画像データを連続的に表示する動画データを前記設定記入欄に記入された設定に基づき生成する動画データ生成手段とを備え、
前記設定記入欄には、前記縮小画像が表す画像データに対して施す画像処理として、画像全体から該画像中の指定された領域に表示範囲が徐々に変更されるエフェクトである第１の画像処理、および、画像中の指定された領域のみを表示するエフェクトである第２の画像処理、の少なくとも一方を指定するための欄が含まれ、
前記動画データ生成手段は、前記オーダシートの解析の結果、前記設定記入欄に前記第１の画像処理または前記第２の画像処理を施す旨の指定があったことを検出した場合には、該指定のあった縮小画像中に描かれた前記枠を検出し、前記画像データ中の該枠が示す領域に対して、前記第１の画像処理または前記第２の画像処理のうち、指定された画像処理を施すことを要旨とする。
【０００９】
本発明の印刷装置によれば、画像データが連続的に表示される動画データの生成に関する種々の設定を、この画像データの一覧が印刷されたオーダシートを用いて行うことができる。従って、コンピュータの操作に不慣れな者であっても、印刷装置単体で容易に動画を生成することが可能になる。
【００１０】
上記構成の印刷装置において、
前記オーダシート印刷手段は、前記設定記入欄として、前記動画データの生成元となる画像データを選択する欄を印刷し、
前記動画データ生成手段は、前記設定記入欄によって選択された画像データを用いて、前記動画データを生成するものとしてもよい。
【００１１】
このような構成であれば、動画データの生成元となる画像データを、オーダシートを用いて容易に選択することが可能になる。
【００１２】
上記構成の印刷装置において、
前記オーダシート印刷手段は、前記設定記入欄として、前記画像データの表示時間を指定する欄を印刷し、
前記動画データ生成手段は、前記動画データの再生時に前記画像データが表示される時間を、前記設定記入欄によって指定された時間に設定するものとしてもよい。
【００１３】
このような構成であれば、オーダシートを用いて、容易に各画像の表示時間を設定することが可能になる。
【００１４】
上記構成の印刷装置において、
前記オーダシート印刷手段は、前記設定記入欄として、前記画像データに施す画像処理の種別を指定する欄を印刷し、
前記動画データ生成手段は、前記設定記入欄によって指定された画像処理を前記画像データに施して前記動画データを生成するものとしてもよい。
【００１５】
このような構成であれば、各画像データに施す画像処理を、オーダシートを用いて容易に指定することが可能になる。このような画像処理としては、例えば、カラー画像のモノクロ化やセピア調への変換といった色変換処理、矩形状の画像を円形状にするといった変形処理、その他、モザイク処理、トリミング処理、エンボス処理といった種々の処理がある。
【００１６】
上記構成の印刷装置において、
前記画像処理とは、前記動画データの再生時において、２つの画像データを切り替えて表示する際の中間画像を生成する処理とすることができる。
【００１７】
このような構成であれば、画像データの切替時に施されるトランジションエフェクトを、オーダシートを用いて容易に指定することが可能になる。トランジションエフェクトとしては、例えば、瞬時に画像を入れ替えるカット、境界線の動きに合わせて画像と画像とを入れ替えるワイプ、画像が徐々に消えたり現れたりするフェード、画像に別の画像を差し込んだり引き抜いたりするスライド、その他ディゾルブ、ストレッチ等のエフェクトがある。
【００１８】
上記構成の印刷装置において、
前記設定記入欄は、前記画像データ全体に対する設定を行うための全体設定記入欄と、前記画像データ毎に用意され、個々の画像データに対する設定を行うための個別設定記入欄とからなり、
前記動画データ生成手段は、前記個別設定記入欄によって指定された設定を、前記全体設定記入欄によって指定された設定に優先して適用しつつ、前記設定記入欄に記入された設定に基づき前記動画データを生成するものとしてもよい。
【００１９】
このような構成であれば、全体設定記入欄によって画像データ全体に対する設定を行っておけば、個々の画像データに対する設定を行わなくても、自動的に全画像データについて種々の設定を行うことができる。また、全体設定記入欄によって設定を行った場合であっても、個別設定記入欄に個々の画像データの設定がなされていれば、個別設定記入欄によって設定された内容が優先して適用されるため、ユーザは、柔軟に種々の設定を行うことが可能になる。
【００２０】
上記構成の印刷装置において、
更に、前記各画像データの特徴を識別する特徴識別手段を備え、
前記オーダシート印刷手段は、前記設定記入欄に、前記画像データに施す画像処理を当該印刷装置に自動的に選択させるための自動選択欄を印刷し、
前記動画データ生成手段は、前記読み取ったオーダシートを解析して、前記自動選択欄が指定されていることを検出した場合には、前記識別した各画像データの特徴に応じた画像処理を該各画像データに施す手段を備えるものとしてもよい。
【００２１】
このような構成であれば、ユーザは、画像データに施す画像処理を個別に指定しなくても、自動的にその特徴に応じた画像処理が画像データに施されるので、利便性を向上させることができる。このような構成によれば、例えば、画像データに人の顔が撮影されていれば、自動的に、その顔の部分をズームしたりトリミングしたりする画像処理を施すことができる。また、２つの画像データに共通して同一の動体が撮影されていれば、その動体の移動方向に応じて、ワイプやスライドの方向を設定するといった処理を行うこともできる。
【００２２】
上記構成の印刷装置において、
前記オーダシート印刷手段は、前記設定記入欄として、前記動画データの表示時に再生される音声を指定する欄を印刷し、
前記動画データ生成手段は、前記設定記入欄によって指定された音声を前記動画データに一体的に記録する手段を備えるものとしてもよい。
【００２３】
このような構成であれば、オーダシートを用いて、音声付きの動画を容易に生成することが可能になる。
【００２４】
上記構成の印刷装置において、
前記動画データ生成手段は、前記指定された音声の再生時間に応じて前記各画像データの表示時間を調整する手段を備えるものとしてもよい。
【００２５】
このような構成であれば、音声の再生時間と動画の再生時間とを同一の時間にすることができるので、好適な動画を生成することが可能になる。
【００２６】
上記構成の印刷装置において、
更に、前記入力した画像データの中から、撮影に失敗した画像データを判別する判別手段を備え、
前記オーダシート印刷手段は、前記判別手段によって撮影に失敗したと判別された画像データ以外の画像データの一覧を前記オーダシートに印刷し、
前記動画データ生成手段は、前記撮影に失敗したと判別された画像データ以外の画像データを用いて前記動画データを生成するものとしてもよい。
【００２７】
このような構成であれば、動画データの生成元となる画像データから、撮影に失敗した画像データを排除することができるので、生成される動画データの品質を高めることができる。撮影に失敗したか否かは、例えば、手ブレやボヤケ、露出不良の有無に基づき判断することができる。
【００２８】
上記構成の印刷装置において、
前記オーダシート印刷手段は、前記設定記入欄として、前記動画データのデータ形式を指定する欄を印刷し、
前記動画データ生成手段は、前記設定記入欄によって指定されたデータ形式に従い、前記動画データを生成するものとしてもよい。
【００２９】
このような構成であれば、生成される動画データのデータ形式を柔軟に設定することができる。動画データのデータ形式としては、例えば、ＡＶＩ、ＭＰＥＧ１、ＭＰＥＧ２、ＭＰＥＧ４、アニメーションＧＩＦ、モーションＪＰＥＧ、スクリーンセーバ（ＳＣＲ）形式、シナリオファイル等がある。
【００３０】
上記構成の印刷装置において、
更に、前記動画データ生成手段によって生成した動画データを、外部記憶装置に出力する出力手段を備えるものとしてもよい。
【００３１】
このような構成であれば、生成した動画データを様々な装置に読み込ませて再生することが可能になる。外部記憶装置としては、例えば、ハードディスクドライブ、光ディスクドライブ、半導体メモリ装置等がある。
【００３２】
上記構成の印刷装置において、
前記出力手段は、前記動画データに加えて、該動画データの生成元となった画像データを前記外部記憶装置に出力する手段を備えるものとしてもよい。
【００３３】
このような構成であれば、鑑賞した動画データ中に気に入った画像があれば、その画像を容易に取得して印刷等を行うことができるので、ユーザの利便性を向上させることができる。
【００３４】
なお、本発明は、上述した印刷装置としての構成のほか、スキャナを備えた印刷装置が動画データを生成する方法や、印刷装置とスキャナとが接続されたコンピュータが動画データを生成するためのコンピュータプログラムとしても構成することができる。かかるコンピュータプログラムは、コンピュータが読取可能な記録媒体に記録されていてもよい。記録媒体としては、例えば、フレキシブルディスクやＣＤ−ＲＯＭ、ＤＶＤ−ＲＯＭ、光磁気ディスク、メモリカード、ハードディスク等の種々の媒体を利用することができる。
【発明を実施するための最良の形態】
【００３５】
以下、上述した本発明の作用・効果を一層明らかにするため、本発明の実施の形態を実施例に基づき次の順序で説明する。
Ａ．印刷装置の構成：
Ｂ．動画生成処理：
Ｃ．変形例：
【００３６】
Ａ．印刷装置の構成：
図１は、実施例としての印刷装置１００の外観を示す説明図である。印刷装置１００は、いわゆる複合機タイプの印刷装置であり、光学的に画像を読み込むスキャナ１１０や、画像データの記録されたメモリカードＭＣを挿入するためのメモリカードスロット１２０、パーソナルコンピュータが接続される第１ＵＳＢインタフェース１３０、外部記憶装置５００が接続される第２ＵＳＢインタフェース１３５等を備えている。印刷装置１００は、スキャナ１１０によって取り込んだ画像や、メモリカードＭＣから読み取った画像、パーソナルコンピュータから印刷指示のあった画像等を印刷することができる。
【００３７】
印刷装置１００は、印刷に関する種々の操作を行うための操作パネル１４０を備えている。操作パネル１４０の中央部には、液晶モニタ１４５が備えられている。この液晶モニタ１４５には、メモリカードＭＣ等から読み取った画像や、印刷装置１００の各種機能を利用する際のＧＵＩ（グラフィカルユーザインタフェース）が表示される。
【００３８】
本実施例の印刷装置１００は、メモリカードＭＣ等から画像データを入力し、その画像データを連続的に表示する簡易動画を生成する機能を有する。印刷装置１００は、こうして生成した簡易動画の動画データを、第２ＵＳＢインタフェース１３５を介して接続された外部記憶装置５００に出力することができる。外部記憶装置５００としては、例えば、ＣＤ−ＲやＤＶＤ−Ｒ等の光ディスク５１０にデータを書き込む光ディスク装置や、外付け型のハードディスク装置を接続することができる。
【００３９】
図２は、印刷装置１００の内部構成を示す説明図である。図示するように、印刷装置１００は、印刷用紙Ｐに印刷を行う機構として、インクカートリッジ２１２を搭載したキャリッジ２１０や、キャリッジ２１０を主走査方向に駆動するキャリッジモータ２２０、印刷用紙Ｐを副走査方向に搬送する紙送りモータ２３０等を備えている。
【００４０】
キャリッジ２１０は、シアン、マゼンタ、イエロ、ブラック、ライトシアン、ライトマゼンタの色を現す各インクに対応して、計６種類のインクヘッド２１１を備えている。キャリッジ２１０には、これらのインクが収容されたインクカートリッジ２１２が装着されている。インクカートリッジ２１２からインクヘッド２１１に供給されたインクは、図示しないピエゾ素子を駆動することで印刷用紙Ｐに吐出される。
【００４１】
キャリッジ２１０は、プラテン２７０の軸方向と並行に設置された摺動軸２８０に移動自在に保持されている。キャリッジモータ２２０は、駆動ベルト２６０を回転させることで、プラテン２７０の軸方向と平行に、すなわち、主走査方向にキャリッジ２１０を往復運動させる。
【００４２】
紙送りモータ２３０は、プラテン２７０を回転させることで、プラテン２７０の軸方向と垂直に印刷用紙Ｐを搬送する。つまり、紙送りモータ２３０は、キャリッジ２１０を相対的に副走査方向に移動させることができる。
【００４３】
印刷装置１００は、上述したインクヘッド２１１やキャリッジモータ２２０、紙送りモータ２３０の動作を制御するための制御ユニット１５０を備えている。制御ユニット１５０には、図１に示したスキャナ１１０やメモリカードスロット１２０、第１ＵＳＢインタフェース１３０、第２ＵＳＢインタフェース１３５、操作パネル１４０、液晶モニタ１４５等も接続されており、これらの動作の制御も行う。
【００４４】
制御ユニット１５０は、ＣＰＵ１６０とＲＯＭ１７０とＲＡＭ１８０とハードディスク１９０とによって構成されている。ＲＯＭ１７０には、印刷装置１００の動作を制御するための制御プログラムが記憶されている。ＣＰＵ１６０は、かかる制御プログラムをＲＡＭ１８０に展開して実行することで、後述する種々の処理を行う。ＣＰＵ１６０は、本願の「入力手段」、「オーダシート印刷手段」、「読取手段」、「動画データ生成手段」に相当する。
【００４５】
ハードディスク１９０には、後述する動画生成処理によって生成される動画データＭＤが記憶される。また、ハードディスク１９０には、メモリカードＭＣから読み込んだ画像データを記憶させることもできる。なお、本実施例では、動画データＭＤを記憶する装置としてハードディスクを備えるものとしたが、これに換えてフラッシュメモリ等の半導体メモリを備えるものとしてもよい。
【００４６】
Ｂ．動画生成処理：
図３は、ＣＰＵ１６０が制御プログラムに基づき実行する動画生成処理のフローチャートである。この動画生成処理は、液晶モニタ１４５に表示されたＧＵＩの中から、簡易動画を生成するためのメニューがユーザによって選択された場合に実行される処理である。
【００４７】
この処理が実行されると、まず、ＣＰＵ１６０は、メモリカードＭＣから画像データを入力する（ステップＳ１００）。ハードディスク１９０に画像データが記憶されている場合には、ハードディスク１９０から画像データを入力するものとしてもよい。
【００４８】
画像データを入力すると、ＣＰＵ１６０は、入力した画像データの中から、動画生成の対象となる画像の候補を自動的に選択する画像選択処理を実行する（ステップＳ１１０）。詳しくは、入力した各画像データを解析し、手ブレやボヤケ、露出不良の有無を判断し、撮影に失敗していると推測される画像データを動画生成の対象から排除することで、動画生成の対象となる画像の候補を自動的に選択する。
【００４９】
この画像選択処理では、ＣＰＵ１６０は、各画像データについて、周知の画像処理技術としてエッジ抽出処理を行い、エッジの幅が所定の基準を超えた場合に、手ブレやボヤケがあると判断して動画生成の対象から排除する。また、画像の白色領域や黒色領域の面積が所定の基準を超えた場合に、露出不良であると判断して動画生成の対象から排除する。このように、本実施例では、撮影に失敗していると推測される画像データを動画生成の対象から予め排除するため、生成される動画の品質を向上させることができるとともに、後述するオーダシートに配置する画像データの数を減ずることができるので、ユーザの負担を軽減することができる。
【００５０】
次に、ＣＰＵ１６０は、上述した画像選択処理によって選択された画像データの一覧と、動画を生成するための種々の設定をユーザが記入する設定記入欄とを配置したオーダシートを生成する（ステップＳ１２０）。そして、インクヘッド２１１や紙送りモータ２３０、キャリッジモータ２２０等の印刷機構を制御して、生成したオーダシートを印刷する（ステップＳ１３０）。
【００５１】
図４は、こうして印刷されたオーダシートＳＴの一例を示す説明図である。図４に示したオーダシートＳＴには、設定記入欄として、全ての画像データに適用される設定を行うための全体設定記入欄ＣＡと、画像毎に個別に設定を行うための個別設定記入欄ＣＢとが設けられている。
【００５２】
全体設定記入欄ＣＡは、各画像データのデフォルトの表示時間を指定する時間設定欄ＣＡ１と、各画像に施すデフォルトのエフェクトを指定するエフェクト設定欄ＣＡ２と、最終的に生成される動画データのデータ形式を指定する形式指定欄ＣＡ３とから構成されている。
【００５３】
時間設定欄ＣＡ１には、画像１枚当たりの表示時間を「１秒」、「２秒」、「３秒」のいずれかに設定するためのマーキング欄と、動画全体の再生時間を「３分」、「５分」、「１０分」のいずれかに設定することで、その再生時間に応じて個々の画像データの表示時間を調整するマーキング欄と、動画の表示と同時に再生される音楽（ＢＧＭ）を「Ａ曲」、「Ｂ曲」、「Ｃ曲」、「選択」のいずれかに設定することで、そのＢＧＭの再生時間に応じて個々の画像データの表示時間を調整するマーキング欄とが含まれる。ユーザは、こうして用意されたマーキング欄の中からいずれか１つのマーキング欄に筆記具でマーキングを施すことにより、画像データのデフォルトの表示時間（切替時間）を設定する。なお、ＢＧＭとして「選択」が指定された場合には、ユーザが操作パネル１４０を用いて所望の曲を選択する処理を、後述するステップＳ１５０の後に行う。
【００５４】
エフェクト設定欄Ｃ２には、各画像データに適用されるエフェクトとして、「なし」、「ランダム」、「ワイプ」、「ズーム」、「おすすめ」のいずれかを設定するためのマーキング欄が含まれる。「なし」とは、特別なエフェクトを行わず、画像データを順番に表示させるモードを表す。「ランダム」とは、すべてのエフェクトの中から、ＣＰＵ１６０が適用するエフェクトをランダムに選択するモードを表す。「ワイプ」とは、前の画像が上下左右のいずれかに移動しながら画面外に消え、次の画像が現れるように画像を表示させるモードを表す。「ズーム」とは、画像が徐々に拡大しながら表示させるモードを表す。「おすすめ」とは、予め定められた順番にエフェクトが施されるモードを表す。
【００５５】
なお、エフェクトの種類としては、ここで挙げたもの以外にも、例えば、カラー画像のモノクロ化やセピア調への変換といった色変換処理、矩形状の画像を円形状にするといった変形処理、その他、モザイク処理、トリミング処理、エンボス処理などといった静止画に対する画像処理を指定可能とすることができる。また、瞬時に画像を入れ替えるカットや、画像が徐々に消えたり現れたりするフェード、画像に別の画像を差し込んだり引き抜いたりするスライド、その他ディゾルブ、ストレッチ等といった、２つの画像データを切り替えて表示する際の中間画像を生成するトランジションエフェクトを指定可能とすることができる。
【００５６】
形式指定欄ＣＡ３には、生成する動画データのデータ形式として、「ＡＶＩ」、「ＭＰＥＧ２」、「ＭＰＥＧ４」、「スクリーンセーバ」のいずれかを設定するためのマーキング欄が配置されている。なお、動画データのデータ形式としては、ここに挙げた形式以外にも、例えば、ＭＰＥＧ１形式や、アニメーションＧＩＦ形式、モーションＪＰＥＧ形式、シナリオデータ形式など、様々なデータ形式を採用可能である。なお、シナリオデータ形式とは、画像データの表示順序や表示時間、表示させる際の効果などを定義したデータ形式である。
【００５７】
画像毎に個別に設定を行うための個別設定記入欄ＣＢは、画像データの一覧を表す縮小画像毎に設けられている。各個別設定記入欄ＣＢには、その画像データの表示時間を設定するための個別時間設定欄ＣＢ１と、その画像データに施すエフェクトを設定するための個別エフェクト設定欄ＣＢ２と、その画像データに重畳して表示する文字を記入するための文字記入欄ＣＢ３と、その画像データを動画生成の対象から排除するための排除指定欄ＣＢ４とから構成されている。
【００５８】
個別時間設定欄ＣＢ１は、３つのマーキング欄によって構成され、縮小画像の左側に配置されている。各マーキング欄は、図の右上部の凡例ＥＮに示すように、表示時間として、「１秒」、「２秒」、「３秒」のいずれかを表す。この個別時間設定欄ＣＢ１によって表示時間が設定されると、その表示時間が、時間設定欄ＣＡ１によって指定されたデフォルトの表示時間に優先して適用される。
【００５９】
個別エフェクト設定欄ＣＢ２は、４つのマーキング欄によって構成され、縮小画像の右側に配置されている。各マーキング欄は、図の右上部の凡例に示すように、エフェクトの種類として、「ワイプ」、「ズーム」、「スポット」、「クロップ」のいずれかを表す。「ワイプ」、「ズーム」の効果は前述の通りである。「スポット」は、画像全体から指定した領域に画像の表示領域が徐々に変更されるエフェクトである。一方、「クロップ」は、指定した領域のみを表示させるエフェクトである。個別エフェクト設定欄ＣＢ２によってエフェクトが設定されると、そのエフェクトが、エフェクト設定欄ＣＡ２によって指定されたデフォルトのエフェクトに優先して適用される。なお、個別エフェクト設定欄ＣＢ２には、エフェクトを施さないことを指定するためのマーキング欄を設けるものとしてもよい。かかるマーキング欄が選択された場合には、ＣＰＵ１６０は、デフォルトのエフェクトも施さないものとする。
【００６０】
「スポット」または「クロップ」を指定する場合には、ユーザは、凡例ＥＮに示すように、スポットあるいはクロップを行う領域を縮小画像内に筆記具で記入する。こうすることで、ユーザは、容易に、これらのエフェクトを施す位置を指定することができる。かかる領域は、閉図形であればよく、矩形状でもよいし、曲線状でもよい。ＣＰＵ１６０は、印刷した縮小画像とスキャンした縮小画像の色の差分を算出することにより縮小画像内に記入された領域を検出することができる。
【００６１】
文字記入欄ＣＢ３は、縮小画像の下側に配置されている。ユーザは、その画像データに手書き文字を合成して表示したい場合に、かかる文字記入欄ＣＢ３に所望の文字を記入する。もちろん、この文字記入欄ＣＢ３には、文字だけではなく、記号やイラスト等を記入してもよい。なお、本実施例では、手書き文字を文字記入欄ＣＢ３に記入するものとしたが、スポットやクロップの領域指定と同様に、縮小画像に重畳して手書き文字を記入するものとしてもよい。
【００６２】
排除指定欄ＣＢ４は、縮小画像の右下に配置されている。ユーザは、その画像データを動画生成の対象から排除したい場合には、かかる排除指定欄ＣＢ４に筆記具でチェックを行う。
【００６３】
ここで、説明を図３に戻す。上記ステップＳ１３０によって、図４に示したオーダシートＳＴが印刷されると、ユーザは、このオーダシートＳＴの必要な欄に、筆記具を用いて記入を行う（ステップＳ１４０）。ユーザは、記入を終えると、記入済みのオーダシートＳＴをスキャナ１１０にセットし、操作パネル１４０を用いて、所定の読取操作を行う。
【００６４】
ユーザによる読取操作を検出すると、ＣＰＵ１６０は、スキャナ１１０を用いて、オーダシートＳＴの読み取りを行う（ステップＳ１５０）。この読み取り処理により、時間設定欄ＣＡ１の中の「選択」を示すマーキング欄が塗りつぶされていることを検出した場合には、ＣＰＵ１６０は、印刷装置１００が記憶しているＢＧＭの一覧を液晶モニタ１４５に表示し、かかる一覧の中から所望のＢＧＭをユーザに選択させる処理を行う。
【００６５】
オーダシートＳＴを読み取ると、ＣＰＵ１６０は、オーダシートＳＴによって設定された各項目に従い簡易動画の生成を行う（ステップＳ１６０）。すなわち、排除指定欄ＣＢ４にチェックがなされていない画像データに対して、全体設定記入欄ＣＡや個別設定記入欄ＣＢによって指定されたエフェクトを施し、その表示時間を全体設定記入欄ＣＡや個別設定記入欄ＣＢで指定された時間に設定する。そして、形式指定欄ＣＡ３で指定されたデータ形式で、各画像データを連続的に表示する簡易動画を生成し、制御ユニット１５０のハードディスク１９０に保存する。
【００６６】
ＣＰＵ１６０は、ハードディスク１９０に動画データを保存すると、次に、この動画データを外部記憶装置５００に出力する（ステップＳ１７０）。外部記憶装置５００への出力が完了すると、ハードディスク１９０に保存しておいた動画データを削除し、上述した一連の動画生成処理を終了する。
【００６７】
以上で説明した本実施例の印刷装置１００によれば、動画データの生成に関する種々の設定をオーダシートＳＴを用いて行うことができる。そのため、コンピュータの操作に不慣れな者であっても、印刷装置１００単体で容易に動画を生成することが可能になる。また、このオーダシートＳＴを用いれば、動画生成の元となる画像の選択と、その画像に対して施すエフェクトの選択とを同時に行うことができるので、ユーザの利便性を向上させることができる。更に、オーダシートＳＴには、縮小画像の周囲に必要なマーキング欄を配置するものとしたため、ユーザは、各マーキング欄の設定内容を一旦把握すれば、直感的に種々の設定を施すことが可能になる。
【００６８】
Ｃ．変形例：
以上、本発明の実施例について説明したが、本発明はこのような実施例に限定されず、その趣旨を逸脱しない範囲で種々の構成を採ることができることはいうまでもない。例えば、以下のような変形が可能である。
【００６９】
（Ｃ１）変形例１：
上記実施例では、オーダシートＳＴの印刷に先立ち、図３のステップＳ１１０において画像選択処理を実行することで撮影に失敗した画像を事前に排除するものとしたが、かかる画像選択処理は省略するものとしてもよい。こうすることで、処理の高速化を図ることができる。
【００７０】
（Ｃ２）変形例２：
上記実施例では、図３のステップＳ１７０において、外部記憶装置５００に動画データを出力するものとしたが、動画データに加えて、その動画の生成元となった画像データも出力するものとしてもよい。こうすることで、ユーザは、再生した動画の中で気に入った画像を容易に取得して印刷等を行うことが可能になる。
【００７１】
（Ｃ３）変形例３：
印刷装置１００は、オーダシートＳＴを印刷するにあたり、画像データの一覧を表す縮小画像を、所定の薄い色で印刷するものとしてもよい。こうすることにより、「スポット」や「クロップ」を行う領域を明確に指定することができる。ＣＰＵ１６０は、かかるオーダシートＳＴを読み取る際には、前述の薄い色以外の色を読み取るものとする。こうすることで、縮小画像に重畳して記入されたスポットやクロップの領域を容易に識別することができる。
【００７２】
（Ｃ４）変形例４：
印刷装置１００は、動画データの生成元となった画像データを用いて、光ディスク５１０のレーベルを生成する機能を備えていてもよい。こうすることにより、ユーザは、光ディスク５１０にどのような動画が記録されているかを容易に判別することが可能になる。
【００７３】
（Ｃ５）変形例５：
上記実施例では、文字記入欄ＣＢ３に記入された手書き文字は、そのままの状態で画像に合成するものとして説明したが、周知のＯＣＲ技術によってテキスト形式に変換した上で合成するものとしてもよい。また、テキスト変換した情報を、画像データのヘッダ情報に記録するものとしてもよい。
【００７４】
（Ｃ６）変形例６：
オーダシートＳＴには、上記実施例で説明した種々の欄以外にも、例えば、動画の始点や終点となる画像を指定するための欄や、画像の表示順序を指定するための記入欄、画像の回転角度を指定するための欄、手書き文字をテキストに変換して合成する場合に、そのテキストのフォントを指定するための欄等を設けてもよい。
【００７５】
（Ｃ７）変形例７：
図４に示したオーダシートＳＴのエフェクト設定欄ＣＡ２において「おすすめ」が選択された場合には、ＣＰＵ１６０は、各画像データの特徴を識別して、その特徴に応じて適用するエフェクトを自動的に選択するものとしてもよい。例えば、画像データに所定の面積以上の肌色領域が有れば、人の顔が撮影されていると識別し、このような画像データに対しては、その顔の部分に対して、ズームやトリミング等のエフェクトを行うものとすることができる。その他にも、例えば、連続する２つの画像データに周知の画像処理技術である勾配法を適用して、画像内に共通して撮影された動体の移動量を算出し、その移動量や移動方向に応じて、ワイプやスライドの方向や速度を設定するといった処理を行うことができる。
【００７６】
（Ｃ８）変形例８：
上記実施例では、静止画から動画を生成する例を説明したが、複数の動画から１つの動画を生成するものとしてもよい。この場合、素材となる動画の１シーンを縮小画像としてオーダシートＳＴに印刷し、その動画に対して施すエフェクトや再生時間をマーキング欄によって指定する。このような構成であれば、簡易動画以外にも通常の動画を容易に編集することが可能になる。もちろん、動画と静止画とが混在した動画を生成するものとしてもよい。
【００７７】
（Ｃ９）変形例９：
上記実施例の動画生成処理において動画データの生成を行った後に、ＣＰＵ１６０は、液晶モニタ１４５上にその動画データを再生するものとしてもよい。こうすることで、ユーザは、オーダシートＳＴを用いて生成した動画を、外部記憶装置５００に出力する前にプレビューすることができる。
【００７８】
（Ｃ１０）変形例１０：
上記実施例の動画生成処理において、ステップＳ１５０でオーダシートを読み取った後に、ＣＰＵ１６０は、オーダシートＳＴによって設定された設定内容の一覧を液晶モニタ１４５に表示し、ユーザからの所定の操作によって、その設定内容を修正することができるものとしてもよい。こうすることで、オーダシートＳＴを用いて一旦行った設定を柔軟に修正することが可能になる。
【００７９】
（Ｃ１１）変形例１１：
上記実施例では、印刷装置１００が単体で動画データの作成を行うものとして説明した。これに対して、例えば、印刷装置１００とコンピュータとを接続し、コンピュータに所定のプログラムをインストールすることで、図３に示した動画生成処理と同様の処理を実行するものとしてもよい。このような構成であれば、コンピュータを用いて動画を生成する際にもオーダシートＳＴを利用することができるので、コンピュータの操作に不慣れな者でも容易に動画を生成することが可能になる。
【図面の簡単な説明】
【００８０】
【図１】印刷装置１００の外観を示す説明図である。
【図２】印刷装置１００の内部構成を示す説明図である。
【図３】動画生成処理のフローチャートである。
【図４】オーダシートＳＴの一例を示す説明図である。
【符号の説明】
【００８１】
１００…印刷装置
１１０…スキャナ
１２０…メモリカードスロット
１３０…第１ＵＳＢインタフェース
１３５…第２ＵＳＢインタフェース
１４０…操作パネル
１４５…液晶モニタ
１５０…制御ユニット
１６０…ＣＰＵ
１７０…ＲＯＭ
１８０…ＲＡＭ
１９０…ハードディスク
２１０…キャリッジ
２１１…インクヘッド
２１２…インクカートリッジ
２２０…キャリッジモータ
２３０…紙送りモータ
２６０…駆動ベルト
２７０…プラテン
２８０…摺動軸
５００…外部記憶装置
５１０…光ディスク
【図１】
0004479678.tif 000002
【図２】
0004479678.tif 000003
【図３】
0004479678.tif 000004
【図４】
0004479678.tif 000005